(57)【要約】【課題】  安価でかつ簡単な構成で走査面上の光量分布の均一化を図ることができる光走査装置を提供する。【解決手段】  ４つの光源が副走査方向に一列に並べられたレーザ光源１０から出射された４本のレーザビームがコリメーターレンズ１２、スリット１４、第１シリンドリカルレンズ１６，第１反射ミラー１８，第２反射ミラー２０、そして第２シリンドリカルレンズ２２，フィルター２４，第３シリンドリカルレンズ２６を介してポリゴンミラー２８へ入射されるオーバーフィルド光学系を構成する。この光学系では、入射光軸Ｌと走査光軸Ｌｓとのなす角度を６５度に設定し、入射光軸Ｌはｆθレンズ３０側へ所定距離移動され、またその光軸は光量均一化のために調整される。これにより、１つの光源で光量調整するのみでレーザ光源１０の全ての調整を終了できる。【選択図】        図１
2006058523.tif 000002
【特許請求の範囲】
【請求項１】
複数の反射面を備え入射された光ビームを前記反射面により主走査方向に偏向する偏向手段と、
前記偏向手段へ向けて複数の光ビームを出射すると共に、複数の光ビームが前記主走査方向と交差する副走査方向に並んで出射されるように配列されかつ、出射する光ビームの中心軸を前記反射面の中心に対して主走査方向に沿って前記反射面の反入射側方向に移動して設けられた光源手段と、
前記偏向手段の１つの反射面の主走査方向の幅より広い範囲の光ビームが前記偏向手段に照射されるように前記光源手段から出射された光ビームを拡大する拡大手段と、
前記光源手段と前記偏向手段との間に、透過率分布が光軸に対して非対称となるように設定されたフィルタと、
前記複数の光ビームの何れか１つを光軸調整用光ビームと設定しかつ該光軸調整用光ビームが前記主走査方向の所定範囲について光量変動を均一化するように前記光源手段から出射される光ビームの中心軸を調整する光軸調整手段と、
を備えた光走査装置。
【請求項２】
前記光源手段は、前記主走査方向の直交方向に対して正逆の回転方向について５度の傾き範囲内に複数の光ビームが副走査方向に並んで出射されるように配列されることを特徴とする請求項１に記載の光走査装置。
【請求項３】
前記光源手段の光ビームの各々は、異なる感光体へ向けて出射されることを特徴とする請求項１または請求項２に記載の光走査装置。
【請求項４】
前記光源手段は、４本の光ビームを出射することを特徴とする請求項３に記載の光走査装置。
【請求項５】
前記光源手段及び偏向手段は、前記偏向手段に入射する光ビームの方向と、前記偏向手段の偏向中心方向とのなす角度が６０度以上になるように設定されることを特徴とする請求項１乃至請求項４の何れか１項に記載の光走査装置。
【請求項６】
前記光源手段は、前記偏向手段による主走査の終了端側から前記偏向手段へ光ビームが入射されるように設けたことを特徴とする請求項５に記載の光走査装置。
【請求項７】
前記出射手段と前記偏向手段との間の前記光ビームの光路内に配置されると共に前記光ビームを透過する開口部が設けられかつ該開口部が光軸に対して非対称となる位置に設定された開口部材をさらに設けたことを特徴とする請求項１乃至請求項６の何れか１項に記載の光走査装置。
【請求項８】
前記フィルタは、前記偏向手段近傍であると共に、前記偏向手段の入射側に副走査方向にパワーを有する光学素子が設置された場合には該光学素子の入射側に設けたことを特徴とする請求項１乃至請求項７の何れか１項に記載の光走査装置。
【請求項９】
複数の反射面を備え入射された光ビームを前記反射面により主走査方向に偏向する偏向手段と、前記偏向手段へ向けて複数の光ビームを出射する光源手段と、前記偏向手段の１つの反射面の主走査方向の幅より広い範囲の光ビームが前記偏向手段に照射されるように前記光源手段から出射された光ビームを拡大する拡大手段と、前記光源手段と前記偏向手段との間に設定されたフィルタと、を備えた光走査装置の光軸調整方法であって、
前記光源手段を、前記複数の光ビームを前記主走査方向と交差する副走査方向に並んで出射されるように配列かつ出射する光ビームの中心軸を前記反射面の中心に対して主走査方向に沿って前記反射面の反入射側方向に移動して設け、
前記フィルタを、透過率分布が光軸に対して非対称となるように設け、
前記複数の光ビームの何れか１つを光量調整用光ビームと設定しかつ該光量調整用光ビームが前記主走査方向の所定範囲について光量変動を均一化するように前記光源手段から出射される光ビームの中心軸を調整する
ことを特徴とする光走査装置の光軸調整方法。
【発明の詳細な説明】
【技術分野】
【０００１】
本発明は、光走査装置及び光軸調整方法に係り、特に感光体などの走査媒体上における光ビームの光量分布を調整する機能を備えた光走査装置及び光軸調整方法に関する。
【背景技術】
【０００２】
感光体などの走査面に光ビームを走査するため、複数の反射面を備えた回転多面鏡を用いて光ビームを走査する光走査装置が知られている。この光走査装置では、回転多面鏡より上流側（光ビームを出射する光源側）の光学系として、装置の小型化等のために、回転多面鏡に向けて出射された光ビームを回転多面鏡の一つの反射面の幅より広い光ビームを入射するもの（所謂、「オーバーフィルド〔Overfilled〕光学系」）を用いる場合がある。この光走査装置では、走査範囲内で安定した光量の光ビームを提供するために様々な調整や設定が考えられている。
【０００３】
例えば、フィルタを挿入することで感光体などの走査面上の光量分布を均一化する技術が知られている（例えば、特許文献１を参照）。また、回転多面鏡への入射光軸を中心光軸からずらすことで、走査面上の光量分布を均一化する他の技術が知られている（例えば、特許文献２を参照）。さらに、走査範囲内で光量のバランスを図る技術が知られている（例えば、特許文献３を参照）。
【特許文献１】特開平８−１６０３３８号公報
【特許文献２】特開平１０−２０６７７８号公報
【特許文献３】特開平９−９６７６９号公報
【発明の開示】
【発明が解決しようとする課題】
【０００４】
しかしながら、近年、光走査装置を搭載する装置の低コスト化や小型化が叫ばれており、光走査装置の光学系への低コスト化や小型化の要求も高まっている。ところが、上記の各技術では、低コスト化や小型化を図りつつ光量分布を均一化するのには不十分である。例えば、光学パーツの複雑化は高コスト化を招き、調整幅を大きく取ることは装置の大型化を招く。すなわち、特許文献１の技術では、品質向上を図ると、多数段のフィルタが必要となり、高コスト化を招く。また、特許文献２の技術では、走査の端部付近でのバランス確保は容易であるが走査範囲内の均一性では不十分である。また、特許文献３の技術では、微調整は可能であるが、やはり走査範囲内の均一性では不十分である。
【０００５】
本発明は上記事実に鑑みてなされたものであり、安価でかつ簡単な構成で走査面上の光量分布の均一化を図ることができる光走査装置及び光軸調整方法を提供することを目的とする。
【課題を解決するための手段】
【０００６】
上記目的を達成するために本発明の光走査装置は、複数の反射面を備え入射された光ビームを前記反射面により主走査方向に偏向する偏向手段と、前記偏向手段へ向けて複数の光ビームを出射すると共に、複数の光ビームが前記主走査方向と交差する副走査方向に並んで出射されるように配列されかつ、出射する光ビームの中心軸を前記反射面の中心に対して主走査方向に沿って前記反射面の反入射側方向に移動して設けられた光源手段と、前記偏向手段の１つの反射面の主走査方向の幅より広い範囲の光ビームが前記偏向手段に照射されるように前記光源手段から出射された光ビームを拡大する拡大手段と、前記光源手段と前記偏向手段との間に、透過率分布が光軸に対して非対称となるように設定されたフィルタと、前記複数の光ビームの何れか１つを光軸調整用光ビームと設定しかつ該光軸調整用光ビームが前記主走査方向の所定範囲について光量変動を均一化するように前記光源手段から出射される光ビームの中心軸を調整する光軸調整手段と、を備えている。
【０００７】
光源手段から出射される光ビームは、偏向手段で主走査方向に偏向される。この光ビームは、偏向手段の１反射面の主走査方向の幅より広い範囲を照射するべく拡大手段により拡大されて所謂オーバーフィルド光学系に用いられる。光源手段は、複数の光ビームが主走査方向と交差する副走査方向に並んで出射されるように配列される。従って、副走査方向に並んだ複数の光ビームが主走査方向に同時に走査されるので、１つの光ビームの光量や光軸の調整を行い、その結果を他の光ビームに反映することで、複数の光ビームについて光量調整することができる。その出射される光ビームの中心軸は偏向手段の反射面の中心に対して主走査方向に沿って移動して設けられる。従って、少なくとも走査端の光量をバランスすることができる。また、フィルタは、透過率分布が光軸に対して非対称となるように設定されており、このフィルタによって、光量分布を調整ことができる。光軸調整手段は、複数の光ビームの何れか１つを光軸調整用光ビームと設定しかつ該光軸調整用光ビームが主走査方向の所定範囲について光量変動を均一化するように光源手段から出射される光ビームの中心軸を調整する。これによって、少なくとも走査端の光量をバランスすることができると共に、走査範囲内で光量を均一化することができる。
【０００８】
前記光源手段は、前記主走査方向の直交方向に対して正逆の回転方向について５度の傾き範囲内に複数の光ビームが副走査方向に並んで出射されるように配列されることを特徴とする。
【０００９】
光源手段からは、複数の光ビームが主走査方向と交差する副走査方向に並んで出射されるが、その角度によっては調整可能な許容範囲を超える場合もある。本発明者は、多数の実験により主走査方向の直交方向に対して正逆の回転方向について５度の傾き範囲内に設定することで、実用上充分な結果を得られることを確認した。
【００１０】
前記光源手段の光ビームの各々は、異なる感光体へ向けて出射されることを特徴とする。
【００１１】
本発明の光走査装置は、多色の画像形成装置に用いて好適である。すなわち、光走査装置から出射された光ビームで感光体などの走査面を露光する場合、単色で用いる装置は勿論であるが、多色画像を形成する場合、各色毎に光ビームを対応させる必要がある。このため、光源手段の光ビームの各々は、異なる感光体へ向けて出射されるように設定することで、異なる感光体に対して、ほぼ同様の均一な光量分布の光ビームを照射することができる。従って、異なる感光体間でのすなわち、色間での光量分布の差異を抑制することが可能となる。
【００１２】
前記光源手段は、４本の光ビームを出射することを特徴とする。
【００１３】
前記多色画像では、イエロー、マゼンタ、シアン、ブラックなどの４色について各々独立してコントロールする場合が多い。そこで光源手段が４本の光ビームを出射するようにすることで、多色画像を形成する等の場合において、各色間での差異を抑制することが可能となる、走査面における色バランスや色差の変動を抑制することができる。
【００１４】
前記光源手段及び偏向手段は、前記偏向手段に入射する光ビームの方向と、前記偏向手段の偏向中心方向とのなす角度が６０度以上になるように設定されることを特徴とする。
【００１５】
装置を小型化しようとしても、光源手段から偏向手段へ向けて光ビームを入射させる角度が鋭角であると、光学設計上で光路中に挿入したレンズなどの光学素子のない箇所に設置するため、装置の大型化を招く。また、偏向手段へ向けて光ビームを入射させるにあたって、その入射角度が鋭角であると、光学設計上で光路中に挿入したレンズなどの光学素子に光束の一部が浸食される。そこで、偏向手段に入射する光ビームの方向と、偏向手段の偏向中心方向とのなす角度が６０度以上、より好ましくは６５度以上になるように設定することで、前記光学素子で光束が浸食されずかつ偏向手段の下流側の光学素子の位置に影響されず、小型化を図ることができる。
【００１６】
前記光源手段は、前記偏向手段による主走査の終了端側から前記偏向手段へ光ビームが入射されるように設けたことを特徴とする。
【００１７】
偏向手段に入射する光ビームの方向と、偏向手段の偏向中心方向とのなす角度を６０度以上に設定することで、走査面上で光ビームの隙間の距離に差異が生じる。これは、主走査サイド入射オーバーフィルドではビーム幅が走査位置（偏向角度）により異なることによって、単位時間の両方の光ビームの隙間が走査位置（偏向角度）により変化するためである。すなわち、走査開始側の走査端における光ビームの隙間距離に比べて走査終了側の走査端における光ビームの隙間距離が小さくなる。このため、同期検出のためなどに利用する光ビームを有効走査範囲該に設定する場合、容易にこれらを分離することが可能となる。
【００１８】
前記出射手段と前記偏向手段との間の前記光ビームの光路内に配置されると共に前記光ビームを透過する開口部が設けられかつ該開口部が光軸に対して非対称となる位置に設定された開口部材をさらに設けたことを特徴とする。
【００１９】
光ビームを透過する開口部を光軸に対して非対称となる位置に設定された開口部材を出射手段と偏向手段との間の光ビームの光路内に、すなわち開口部の中心位置が前記光ビームの光軸中心から主走査方向に所定距離を隔てた位置にさらに設けることで、余分な光ビームを抑制することができる。
【００２０】
前記フィルタは、前記偏向手段近傍であると共に、前記偏向手段の入射側に副走査方向にパワーを有する光学素子が設置された場合には該光学素子の入射側に設けたことを特徴とする。
【００２１】
このように、フィルタを偏向手段近傍に設けることにより、偏向手段の下流側の光学素子の倍率による光束の広がりや位置の影響（例えば、色毎に分離対応した部品の影響）を受けることなくフィルタの性能をそのまま発揮できる。
【００２２】
なお、光走査装置は、次の光軸調整方法によって、容易に光軸を調整することができる。詳細には、複数の反射面を備え入射された光ビームを前記反射面により主走査方向に偏向する偏向手段と、前記偏向手段へ向けて複数の光ビームを出射する光源手段と、前記偏向手段の１つの反射面の主走査方向の幅より広い範囲の光ビームが前記偏向手段に照射されるように前記光源手段から出射された光ビームを拡大する拡大手段と、前記光源手段と前記偏向手段との間に設定されたフィルタと、を備えた光走査装置の光軸調整方法であって、前記光源手段を、前記複数の光ビームを前記主走査方向と交差する副走査方向に並んで出射されるように配列かつ出射する光ビームの中心軸を前記反射面の中心に対して主走査方向に沿って前記反射面の反入射側方向に移動して設け、前記フィルタを、透過率分布が光軸に対して非対称となるように設け、前記複数の光ビームの何れか１つを光量調整用光ビームと設定しかつ該光量調整用光ビームが前記主走査方向の所定範囲について光量変動を均一化するように前記光源手段から出射される光ビームの中心軸を調整することを特徴とする。
【発明の効果】
【００２３】
以上説明したように本発明によれば、複数の光ビームが主走査方向と交差する副走査方向に並んで出射されるように配列して、光ビームの中心軸を偏向手段の反射面の中心に対して移動して設け、透過率分布が光軸に対して非対称となるように設定されたフィルタを設けて、１つの光ビームについて光量変動を均一化するように光ビームの中心軸を調整するので、少なくとも走査端の光量をバランスすることができると共に、走査範囲内で光量を均一化することができる、という効果を得ることができる。
【発明を実施するための最良の形態】
【００２４】
以下、本発明の好ましい実施の形態について図面を参照しながら詳細に説明する。
【００２５】
図１には、本発明の実施形態に係る光走査装置の概略構成を示している。図１（Ａ）は側面図（副走査方向断面）であり、図１（Ｂ）は平面図（主走査方向断面）である。本実施の形態にかかる光走査装置は、４つの光源を備えて４本のレーザービームをほぼ１列に出射する半導体レーザーアレイ等からなるレーザー光源１０を備えている。このレーザ光源１０は、４本のレーザービームが副走査方向に一列に出射されるように４つの光源の並びが副走査方向に配設される。レーザ光源１０から出射される４本のレーザービームの各々は、多色画像を形成するための４色、例えばＹ（イエロー）、Ｍ（マゼンタ）、Ｃ（シアン）、Ｋ（ブラック）の各色に対応され、各色の画像情報に応じて制御されるものである。つまりレーザ光源１０はコントローラ６０に接続されており、このコントローラ６０により画像信号に応じてレーザ光源１０は各色毎にオンオフ制御される。
【００２６】
レーザー光源１０の出射側には、コリメーターレンズ１２、スリット１４、及び副走査方向（サジタル方向）にパワーを有する第１シリンドリカルレンズ１６が順に配置され、第１シリンドリカルレンズ１６の出射側には第１反射ミラー１８が設置されている。第１反射ミラー１８の反射側には第２反射ミラー２０が設けられており、第１反射ミラー１８で反射されたレーザービームは、第２反射ミラー２０に入射される。第２反射ミラー２０の反射側には、主走査方向（タンジェンシャル方向）にパワーを有する第２シリンドリカルレンズ２２、フィルター２４，副走査方向（サジタル方向）にパワーを有する第３シリンドリカルレンズ２６、及びポリゴンミラー２８が順に配置されている。ポリゴンミラー２８は、所定速度で回転する略正１２角柱形状の各面に反射ミラー２８Ａが形成されており、第２反射ミラー２０で反射されたレーザービームが第２シリンドリカルレンズ２２、フィルター２４、及び第３シリンドリカルレンズ２６を介して入射される。
【００２７】
なお、ポリゴンミラー２８へ向けたレーザービームは（主走査方向について）、ポリゴンミラー２８の１つの反射ミラー２８Ａの範囲より大きな光束とされ、所謂オーバーフィルド光学系を構成している。
【００２８】
ポリゴンミラー２８で反射されたレーザービームは、ｆθレンズ３０、３２を透過して、スプリットミラー３４に入射される。
【００２９】
スプリットミラー３４は、断面正方形に形成されて、その長手方向（中心軸方向）が主走査方向になるように、ポリゴンミラー２８の回転軸方向と交差する方向に配設される。スプリットミラー３４の反射面３４Ａ、３４Ｂの頂点は、４本あるレーザービームの内側の２本で挟まれる場所に位置しており、反射面３４Ａ、３４Ｂは、この頂点を結ぶ縁を含み、レーザービームと略平行な面（基準面）に対して４５°に調整されている。そして、４本のレーザービームは、略等間隔で、その基準面に対して２本ずつが対称の位置となる光路で入射するように、コリメーターレンズ１２やシリンドリカルレンズ１６等の光学素子によって調整されている。
【００３０】
スプリットミラー３４の反射面３４Ａ、３４Ｂの反射側には、第１案内ミラー３６、第２案内ミラー３８、第３案内ミラー４０、第４案内ミラー４２が配設されており、各案内ミラー３６〜４２は４本のレーザービームにそれぞれ対応している。第１案内ミラー３６と第４案内ミラー４２、及び第２案内ミラー３８と第３案内ミラー４０とが、それぞれスプリットミラー３４に対して略対称の位置で、第１案内ミラー３６と第４案内ミラー４２とが外側に、第２案内ミラー３８と第３案内ミラー４０とが内側に配置されている。また、第１案内ミラー３６と第４案内ミラー４２は、第２案内ミラー３８と第３案内ミラー４０よりもポリゴンミラー２８側に設けられている。
【００３１】
案内ミラー３６〜４２よりもポリゴンミラー２８側には、第１シリンドリカルミラー４４、第２シリンドリカルミラー４６、第３シリンドリカルミラー４８、第４シリンドリカルミラー５０が配設されている。第１案内ミラー３６で反射したレーザービームは第１シリンドリカルミラー４４に、第２案内ミラー３８で反射したレーザービームは第２シリンドリカルミラー４６に、第３案内ミラー４０で反射したレーザービームは第３シリンドリカルミラー４８に、第４案内ミラー４２で反射したレーザービームは第４シリンドリカルミラー５０に各々入射される。シリンドリカルミラー４４〜５０に入射されたレーザービームは、そのシリンドリカルミラー４４〜５０で反射され、被走査体である感光体ドラムなどの像担持体（図示省略）に入射されて、その表面に静電潜像が形成される。
【００３２】
案内ミラー３６〜４２とシリンドリカルミラー４４〜５０の位置は、４本のレーザービームのレーザー光源１０から像担持体の像形成位置４４に至る光路長が略等しくなる位置とされている。このため、図１（Ｂ）で示すように、スプリットミラー３４を挟んで、第２シリンドリカルミラー４６は第２案内ミラー３８の反対側に、第３シリンドリカルミラー４８は第３案内ミラー４０の反対側に、それぞれ配置されて、第２案内ミラー３８と第２シリンドリカルミラー４６との間の光路、及び第３案内ミラー４０と第３シリンドリカルミラー４８との間の光路は、スプリットミラー３４を越えて形成されている。なお、第２シリンドリカルミラー４６と第３シリンドリカルミラー４８、第１シリンドリカルミラー４４と第４シリンドリカルミラー５０は、それぞれ同一の曲率半径を有している。
【００３３】
また、感光ドラムなどの像担持体は適宜な速度で回転しており、この回転に応じて静電潜像を形成する位置が変更される。そして、ポリゴンミラー２８の回転によって、スプリットミラー３４への入射位置が変更され、これによって、像担持体への入射位置が変更される。ここで、ポリゴンミラー２８の回転によって像担持体への入射位置が変更される走査方向を主走査方向とし、像担持体の回転に応じて入射位置が変更される走査方向を副走査方向とすると、スプリットミラー３４における主走査方向への走査範囲の外側（画像形成領域外）には、スプリットミラー３４の反射面３４Ａで反射したレーザービームを（同期信号検出のために）入射させるためのセンサーミラー５２が設けられている。センサーミラー５２の反射側には走査位置検出センサー５６が設けられている（図９参照）。
【００３４】
走査位置検出センサー５６は本体コントローラ６１を介してコントローラ６０に接続されており、この本体コントローラ６１によりレーザ光源１０の光量制御を各色毎に制御することができる。
【００３５】
なお、上記ポリゴンミラー２８は、本発明の偏向手段に対応し、レーザ光源１０は本発明の光源手段に対応する。また、コリメーターレンズ１２は、本発明の拡大手段の一部に対応する。また、フィルター２４は本発明のフィルタに対応する。また、レーザ光源１０乃至ポリゴンミラー２８までの光路を調整する調整素子は本発明の光軸調整手段に相当する。この調整素子は、例えば第２反射ミラー２０を保持または固定する部材２０ｉがあり（図３参照）、この他、レーザ光源１０乃至ポリゴンミラー２８までの光路を固定するのに用いられる各光学素子の部材がある。また、これらの部材をプレートなどで保持して調整可能にしてもよい。また、光軸を調整する手順が本発明の光軸調整方法に対応する。
【００３６】
上述の光走査装置の構成で、本実施の形態では、光量の均一性を図るために光軸や開口などを以下のように設定している。
【００３７】
まず、レーザー光源１０から出射されたレーザービームは、主走査方向と副走査方向とで光束状態が異なる。
【００３８】
図２及び図３に示すように、主走査方向についてのレーザービームはコリメーターレンズ１２により緩い発散光に整形され、スリット１４の開口で透過光が制限される。スリット１４を透過したレーザビームは、第２シリンドリカルレンズ２２により主走査方向についてコリメートされる。一方、副走査方向についてのレーザービームはコリメーターレンズ１２により緩い発散光に整形され、スリット１４の開口で透過光が制限される。スリット１４を透過したレーザビームは、第１シリンドリカルレンズ１６により副走査方向についてポリゴンミラー２８の反射ミラー２８Ａ上に（線状に）結像されるように設定されており、また第３シリンドリカルレンズ２６により反射ミラー２８Ａの入射角を増加させるように設定されている（図７（Ａ）も参照）。
【００３９】
図４に示すように、本実施の形態では、スリット１４の開口について、光軸と非対称に設定している。図４は、第１シリンドリカルレンズ１６側からレーザ光源１０を透視した図であり、スリット１４については開口１４Ａの縁を示している。スリット１４は、開口１４Ａの中心１４Ｘがコリメーターレンズ１２の中心光軸ＣＬから主走査方向に所定距離を隔てて設置されている。従って、光軸を基準とすると、スリット１４は主走査方向に非対称な形状になっている。
【００４０】
これは、開口の中心部分を光軸から主走査方向に移動することで光量分布を変動させることが可能となり、主走査方向についての光量バランスの確保を容易としている。
【００４１】
図５には、スリット１４の開口の他例を示した。また、光量の均一性を図るためには、図４に示すスリット１４の開口１４Ａでは矩形状に開口を形成することにより、副走査方向結像ビーム径の影響はない。これに対して図５に示す開口は、光軸を基準として副走査方向の開口幅を異ならせている。これによってポリゴンミラー２８へ斜めに入射させるときに生じることが予測される主走査方向の光量変動を、副走査方向の開口幅で制限（または開放）することで、積極的に光量分布を変更することができる。これによって、図５に示すスリットは、図４のスリット１４に比べてさらに均一性を確保することができる。
【００４２】
図６には、フィルター２４の詳細を示した。図６（Ａ）はフィルター２４の外観斜視図であり、図６（Ｂ）は正面図である。フィルター２４は、主走査方向に２段階の透過率分布（第１領域２４Ａと第２領域２４Ｂ）を有するように形成されている。すなわち本実施の形態では、オーバーフィルド光学系に固有なＦナンバー変化などの光量分布の不均一性が発生することを抑制して、光量の均一性を図るために、図６に示すフィルター２４を第２反射ミラー２０とポリゴンミラー２８の間に設けている。このフィルター２４を光路に挿入することによって、光量分布の不均一性を抑制することができる。
【００４３】
なお、フィルター２４は、ポリゴンミラー２８の近傍で、副走査方向にパワーを有する第３シリンドリカルレンズ２６の入射側に設置することが好ましい。これは、レーザビームの光束幅に応じてフィルター２４の大きさが左右されるので、より小さな光束幅となる位置に設置することで小さなフィルターの形成を可能とすると共に、４本のレーザビームの配置を考慮したためである。すなわち、ポリゴンミラー２８直近にフィルター２４を設置することでフィルター２４の機能を効果的に利用できるが、第３シリンドリカルレンズ２６により４本のレーザビームの各々が副走査方向に拡大（発散角度が大きく）されることにより、光束幅が副走査方向に大きくなる。これを解消するために、第３シリンドリカルレンズ２６の入射側に設置することで光束幅が副走査方向に大きくなる以前にフィルター２４による調整をすることができる。
【００４４】
次に、本実施の形態では、主走査方向の走査両端部付近における光量バランスをさらに確保するために、レーザービームの光束中心を主走査方向に移動している。
【００４５】
図７には、第２反射ミラー２０とポリゴンミラー２８との間の光学系を示した。図７（Ａ）は側面図（副走査方向断面）であり、図７（Ｂ）は平面図（主走査方向断面）である。また、図８には、ポリゴンミラー２８周辺の光路を平面図（主走査方向断面）で示した。
【００４６】
図７（Ｂ）及び図８に示すように、ポリゴンミラー２８へ入射されるレーザービームの入射光軸Ｌを、ポリゴンミラー２８の反射ミラー２８Ａの中心点である基準点Ｐよりｆθレンズ３０へ向かう方向（反入射側）に主走査方向に沿って移動量Ｍだけ移動している。この光軸調整は、レーザ光源１０乃至第２反射ミラー２０の光学素子を調整することにより達成できる。特に、第２反射ミラー２０の位置を移動（平行移動）することにより容易に達成することができる。このように入射光軸Ｌを移動量Ｍだけ移動した設定にすることにより光量の変動量は抑制される。
【００４７】
なお、上述のように光軸を移動した場合、スリット１４の調整を上述のように行うことが好ましい。
【００４８】
ここで、本実施の形態にかかる光走査装置は、ポリゴンミラー２８へレーザービームを入射する入射角度を鈍角にすることによって、小型化を図っている。すなわち、図１に示すように、ポリゴンミラー２８への入射光軸Ｌと、ポリゴンミラー２８へ偏向されるレーザービームの偏向幅の中心光軸（以下、走査光軸Ｌｓという）とのなす角度（以下、入射走査角度Ｇという）を６０度以上の所定角度に設定している。本実施の形態では、この入射走査角度Ｇを６５度に設定している。入射走査角度Ｇを鈍角に設定することにより、ポリゴンミラー２８に入射されるレーザービームが、ポリゴンミラー２８で偏向されるレーザビームに干渉することはない。また、ポリゴンミラー２８に入射されるレーザービームが、ポリゴンミラー２８以降の光学素子例えばｆθレンズ３０で浸食されることのない領域を、走査領域の外に作り出すことができる。この入射走査角度Ｇは角度を大きくするほどポリゴンミラー２８の偏向側直近のｆθレンズ３０を、ポリゴンミラー２８へ接近させることができる。
【００４９】
また、入射走査角度Ｇを鈍角にすることは、同期検出にも好ましい効果を生む。
【００５０】
図９に示すように、センサーミラー５２の反射側にはセンサーレンズ５４及び走査位置検出センサー５６が順に設けられている。センサーミラー５２で反射されたレーザービームは、センサーレンズ５４により収束されて（同期信号検出のための）走査位置検出センサー５６に入射されるように構成されている。この走査位置検出センサー５６へのレーザービームの入射があると、感光体ドラムなどの像担持体への静電潜像の形成が適切なタイミングで開始される。
【００５１】
本光走査装置では、ポリゴンミラー２８による偏向でスプリットミラー３４上では有効走査範囲Ｊを含む走査がなされる。すなわち、ポリゴンミラー２８が（時計回りに）回転することにより、走査開始端（図９では下方）から走査終了端（図９では上方）へレーザービームは偏向される。有効走査範囲Ｊは、感光体ドラムなどの像担持体への静電潜像の主走査方向の形成領域幅に相当する。従って、有効走査範囲Ｊの外のレーザービームを検出することで、１主走査のタイミングを検出することができる。
【００５２】
ここで、ポリゴンミラー２８へのレーザービームの入射は１主走査の終了側から行っている。従って、同一の時間間隔ｄｔでは、スプリットミラー３４上のレーザービームの隙間距離が、走査終了端（図９では上方）付近に比べて走査開始端（図９では下方）付近が長くなる。隙間距離とは、単位時間あたりで隣り合うビームの隙間の距離である。具体的には、走査終了端付近を１単位隙間距離とした場合、走査開始端（図９では下方）付近では、２単位隙間距離になる。これによって、センサーミラー５２によりレーザービームをサンプリングするためのレーザービームの分離が容易となる。
【００５３】
〔均一化〕
次に、本実施の形態の光走査装置の光量均一化について概略を説明する。
【００５４】
図１０には、光量均一化（パワーバランス調整）のプロセスを示した。まず、プロセスＰｒ１では、レーザ光源１０のうち１つのレーザビームのみを点灯し、主走査を繰り返す。次のプロセスＰｒ２では主走査範囲内（特に有効走査範囲Ｊに対応する範囲）に対応する感光体ドラムなどの像担持体上における光量分布を測定する。この測定は、走査範囲内を連続的に測定してもよく、代表的な複数箇所を測定してもよい。次のプロセスＰｒ３では、プロセスＰｒ２の測定結果から光量分布が均一になるように、上述のように光軸を調整（さらに微調整）する。
【００５５】
以上の調整で、１つのレーザービームについて調整が終了するが、この時点で、他の３本のレーザビームについても調整が終了したことに相当する。すなわち、本実施の形態では、レーザ光源１０は４つの光源を備えて４本のレーザービームを副走査方向にほぼ１列に出射するように設置される。従って、４本のレーザービームのうち、何れか１本のレーザービームについて調整を終了すれば、副走査方向に並んだ他の光源によるレーザビームについての調整が等価的に終了したことになる。このように、何れか１本のレーザービームについて調整をするのみで４本全ての調整が終了するので、光量均一化（パワーバランス調整）のプロセス工数を簡素化することができる。
【００５６】
なお、本体コントローラ６１によって光量分布の微調整をさらに行うこともできる。この微調整処理では、一定の駆動電圧でレーザ光源１０を点灯して上記プロセスで均一化処理がなされたのちの光量分布を測定した結果を計測データ（走査位置検出センサー５６によるセンサ値を含む）として記憶しておき、さらに光量分布が均一になるレーザ光源１０の駆動電圧を予め測定する。そして、上記の計測データに対する光量分布が均一になるレーザ光源１０の駆動電圧の測定結果の差分を駆動データとして記憶すると共に、走査位置検出センサー５６によるセンサ値を基準データとして記憶するものとする。
【００５７】
図１１には、本体コントローラ６１で実行される微調整処理の流れを示した。ステップＳ１では、レーザ光源１０のうち１つのレーザビームのみをセンサーミラー５２に照射するべく点灯させ、次のステップＳ２で光量を検出する。次のステップＳ３では、ステップＳ２の測定結果と基準データとの差分を求め、求めた差分値が減少するように（最も好ましくは「０」となるように）補正値を求める。この補正値は、４つの光源の各々に適用が可能である。次のステップＳ４では、上記ステップＳ３で求めた補正値でレーザ光源１０を駆動する。この駆動はコントローラ６０によりなされる。これにより、経時変化などでレーザ光源１０から出射した全体光量の変動が生じた場合であっても、補正することができる。
【００５８】
次に、本実施の形態にかかる光走査装置の有効性について説明する。
【００５９】
図１２は、レーザ光源１０を中心光軸を中心として回転させたときの回転角度と入射位置との関係を示したものである。図１２（Ａ）は回転角度に対してポリゴンミラー２８の反射ミラー２８Ａ上において副走査方向について入射位置変化を示したものである。図１２（Ｂ）は回転角度に対してポリゴンミラー２８の反射ミラー２８Ａ上において主走査方向について入射位置変化を示したものである。図１２（Ｃ）は回転角度に対して感光体ドラムなどの像担持体上において主走査方向について入射位置変化を示したものである。
【００６０】
各図から理解されるように、主走査方向の直交方向（鉛直方向）をレーザ光源１０の回転角度０度とすると、回転角度が大きくなるに従って、入射位置の変化量は大きくなる。
【００６１】
図１２（Ａ）の結果によるポリゴンミラー２８の副走査方向の入射位置変動はスプリットミラー３４における位置変化に大きく影響する。スプリットミラー３４では、４つのレーザービームの分離性が要求されるため、スプリットミラー３４における位置変化が大きくなると、色ズレなどが生じる。そこで、実測すると、ポリゴンミラー２８の副走査方向の入射位置変動は約０．００４ｍｍ以内が好ましいという結果を得た。この結果は、レーザ光源１０は５度以内の回転角度を許容範囲とすることが好ましいということに対応する。
【００６２】
また、図１２（Ｂ）の結果によるポリゴンミラー２８の主走査方向の入射位置変動は線形的に変動し、最終的には走査位置や倍率に影響する。各種実験を行った結果、主走査方向の入射位置変動は０．２０ｍｍ以内が好ましいという結果を得た。この結果は、シアン色に対応するレーザービームと黒色に対応するレーザービームが該当し、レーザ光源１０としては回転角度が５度以内が好ましいということに対応する。
【００６３】
また、図１２（Ｃ）の結果による像担持体の主走査方向の入射位置変動は線形的に変動する。像担持体上での各種実験を行った結果、その入射位置変動は０．１０ｍｍ以内が好ましいという結果を得ており、レーザ光源１０としては回転角度が５度以内が好ましいということに対応している。
【００６４】
以上のことから、レーザ光源１０の副走査方向の光源並びについての角度変化（回転）は、５度以内が好ましいという結果を得た。
【００６５】
図１３には、スリット１４の移動量に対する光量変動の特性を示したもので、（Ａ）はシアン、（Ｂ）はイエロー、（Ｃ）は黒、（Ｄ）はマゼンタの各色について示したものである。なお、図１３の結果は、フィルター２４を挿入せずに測定したものである。また、ＳＯＳは走査開始端、ＣＯＳ走査中央端、ＥＯＳは走査終了端を示している。図から理解されるように、走査中央端以外の変動はレーザ光源１０の回転の影響を受ける。各色の各位置の変動について、光源全体すなわちレーザ光源１０の副走査方向の光源並びについての角度変化（回転）を、５度以内に抑えることで、光量変動を１０％程度の幅に抑えることができる。そして、フィルター２４を挿入して調整すると、さらに向上が見られるという結果も得た。これにより、レーザ光源１０の副走査方向の光源並びについての角度変化（回転）を、５度以内に抑えることが好ましいという結果を得た。
【００６６】
また、図１４には、スリット１４の開口の形状を変更したときの走査位置に対するレーザービームの径を測定した結果を示したものである。スリット形状は、図４に示す形状をノーマルスリット、図５に示す形状を変形スリットとしている。ノーマルスリットでは走査開始端から走査終了端に向けて徐々にビーム径が小さくなるが変形スリットでは走査中央端を境にビーム径が大きくなる傾向に変更できる。このように、スリット形状によりビーム径を、走査範囲内で調整できることが理解される。
【００６７】
図１５には、入射走査角度Ｇに対する光走査装置の状態を示すもので、（Ａ）は走査範囲両端のバランス特性を示し、（Ｂ）はポリゴンミラー２８とｆθレンズ３０との最小間隔の特性を示した。図から理解されるように、入射走査角度Ｇを変更しても光量バランスへの影響は少なく、入射走査角度Ｇの設定値の自由度を増加（入射走査角度Ｇのパラメータ範囲を増加）できることが理解できる。また、ポリゴンミラー２８とｆθレンズ３０との間隔は、極力接近させたいが、斜め入射であるため、入射されるレーザービームがｆθレンズ３０で浸食される（ケラレル）結果となる。このため、光学設計上接近させることが可能であるが、組み立て調整やアタッチメントなど様々な要因によって、１４ｍｍ以下を確保できれば実質上支障がなく、好ましくは１１ｍｍ以下が最適であるという結果を得た。これに対応して、入射走査角度Ｇは約６０度以上が好ましく、より好ましくは６５度以上であることが理解できる。
【００６８】
なお、以上説明した本実施の形態は、本発明の構成を限定するものではない。本実施の形態では、光走査装置を用いて説明したが、本発明が適用される光走査装置は、これに限らず、画像処理に対する基本機能を備えた画像形成装置などに内蔵されるの光学系等のように、複数のレーザービームを走査する機能を備えた任意の構成の装置に適用することができる。
【図面の簡単な説明】
【００６９】
【図１】本発明の実施形態に係る光走査装置の概略構成を示し、（Ａ）は側面図、（Ｂ）は平面図である。
【図２】レーザ光源から第１シリンドリカルレンズまでの光路の説明図である。
【図３】レーザ光源からポリゴンミラーまでの光路の説明図である。
【図４】スリット形状の説明図である。
【図５】変形スリットのスリット形状の説明図である。
【図６】フィルターの概略構成を示し、（Ａ）は斜視図、（Ｂ）は平面図である。
【図７】第２反射ミラー乃至ポリゴンミラーの光路の説明図であり、（Ａ）は側面図、（Ｂ）は平面図である。
【図８】ポリゴンミラーへの入射光軸を移動することの説明図である。
【図９】光走査装置の走査についての説明図である。
【図１０】光量均一化（パワーバランス調整）のプロセスの流れを示すフローチャートである
【図１１】本体コントローラでの処理の流れを示すフローチャートである。
【図１２】レーザ光源１０を中心光軸を中心として回転させたときの回転角度と入射位置との関係を示し、（Ａ）はポリゴンミラー上での副走査方向入射位置変化、（Ｂ）はポリゴンミラー上での主走査方向入射位置変化、（Ｃ）は像担持体上での主走査方向入射位置変化を示す。
【図１３】スリット１４の移動量に対する光量変動の特性を示し、（Ａ）はシアン、（Ｂ）はイエロー、（Ｃ）は黒、（Ｄ）はマゼンタを示す。
【図１４】スリットの開口形状変更による走査位置に対するレーザービームの径の関係を示す特性図である。
【図１５】入射走査角度に対する光走査装置の状態を示し、（Ａ）は走査範囲両端のバランス特性、（Ｂ）はポリゴンミラーとｆθレンズとの最小間隔の特性を示す。
【符号の説明】
【００７０】
１０…レーザ光源
１２…コリメーターレンズ
１４…スリット
１４Ａ…開口
１６…第１シリンドリカルレンズ
１８…第１反射ミラー
２０…第２反射ミラー
２２…第２シリンドリカルレンズ
２４…フィルター
２６…第３シリンドリカルレンズ
２８…ポリゴンミラー
２８Ａ…反射ミラー
３０…ｆθレンズ
３２…ｆθレンズ
３４…スプリットミラー
５２…センサーミラー
５４…センサーレンズ
５６…走査位置検出センサー
６１…本体コントローラ
【図１】
2006058523.tif 000003
【図２】
2006058523.tif 000004
【図３】
2006058523.tif 000005
【図４】
2006058523.tif 000006
【図５】
2006058523.tif 000007
【図６】
2006058523.tif 000008
【図７】
2006058523.tif 000009
【図８】
2006058523.tif 000010
【図９】
2006058523.tif 000011
【図１０】
2006058523.tif 000012
【図１１】
2006058523.tif 000013
【図１２】
2006058523.tif 000014
【図１３】
2006058523.tif 000015
【図１４】
2006058523.tif 000016
【図１５】
2006058523.tif 000017